(57)【要約】【課題】保護画像を使用することによって素子の劣化を防止すると同時に、画面保護モードで電力を節減することができる発光素子及びその駆動方法を提供する。【解決手段】発光素子は、複数のデータラインＤＬ１〜ＤＬｍ、複数のスキャンラインＳＬ１〜ＳＬｎ、複数のピクセル１０１、制御部１４０、データ駆動部１３０及びスキャン駆動部１２０を含む。データラインは第１方向に配列され、スキャンラインは第１方向と異なる第２方向に配列される。ピクセル１０１はデータラインとスキャンラインによって形成される。制御部１４０は複数の第１表示データを伝送する。データ駆動部１３０は制御部１４０から伝送された第１表示データに該当するデータ電流をデータラインに供給する。スキャン駆動部１２０は第１表示データが繰り返してデータ駆動部１３０に伝送されるとき、制御部１４０の制御下に２つ以上の単位でスキャンラインを駆動させる。【選択図】図３
2006189855.tif 000002
【特許請求の範囲】
【請求項１】
データラインとスキャンラインによって形成された複数のピクセルを駆動させる発光素子の駆動回路において、
複数の第１表示データを伝送する制御部と、
前記制御部から伝送された第１表示データに該当するデータ電流を前記データラインに供給するデータ駆動部と、
前記制御部の制御に基づいて前記スキャンラインを駆動するスキャン駆動部とを含み、
前記複数の第１表示データが、繰り返して前記データ駆動部に伝送されるとき、２ライン以上の単位で前記スキャンラインが駆動されることを特徴とする発光素子の駆動回路。
【請求項２】
前記第１表示データが繰り返して前記データ駆動部に伝送されるとき、２ライン以上の単位で、前記スキャンラインが、低位スキャン駆動電圧を有する発光源に連結されることを特徴とする請求項１に記載の発光素子の駆動回路。
【請求項３】
前記発光源は、接地であることを特徴とする請求項２に記載の発光素子の駆動回路。
【請求項４】
前記スキャン駆動部にスキャン駆動電圧を供給する電源供給部をさらに含んでいることを特徴とする請求項１に記載の発光素子の駆動回路。
【請求項５】
前記第１表示データが繰り返して前記データ駆動部に伝送されるとき、前記電源供給部は、前記スキャン駆動電圧の大きさを変化させることを特徴とする請求項４に記載の発光素子の駆動回路。
【請求項６】
前記スキャン駆動部は、前記スキャンラインにスキャン信号を伝送し、
該スキャン信号のデューティ比は、前記第１表示データが繰り返して前記データ駆動部に伝送されるとき、前記スキャン信号のデューティ比が、変化することを特徴とする請求項１に記載の発光素子の駆動回路。
【請求項７】
前記第１表示データが繰り返して前記データ駆動部に伝送されるとき、前記制御部は、前記第１表示データと異なる輝度を有する第２表示データを前記データ駆動部に伝送することを特徴とする請求項１に記載の発光素子の駆動回路。
【請求項８】
前記第２表示データの輝度は、前記第１表示データの輝度より低いことを特徴とする請求項７に記載の発光素子の駆動回路。
【請求項９】
前記制御部は、前記第２表示データを保存することを特徴とする請求項７に記載の発光素子の駆動回路。
【請求項１０】
データラインとスキャンラインによって形成された複数のピクセルを有するパネルを駆動させるための発光素子の駆動回路において、
所定時間の間に、前記パネルに第１の画像が続けて表示されるかどうかを検出する制御部と、
前記パネルに前記第１画像が続けて表示されていると検出されたとき、前記制御部の制御に基づいて２ライン以上の単位で前記スキャンラインを駆動するスキャン駆動部を有することを特徴とする発光素子の駆動回路。
【請求項１１】
前記パネルに前記第１画像が所定時間の間に継続して表示されるとき、前記スキャンラインは、２ライン以上の単位でアースに接続されていることを特徴とする請求項１０に記載の発光素子の駆動回路。
【請求項１２】
前記第１画像に該当するデータ電流を前記データラインに供給するデータ駆動部をさらに含み、
前記制御部により、前記データ電流に該当する第１表示データを前記データ駆動部に伝送することを特徴とする請求項１０に記載の発光素子の駆動回路。
【請求項１３】
前記パネルに前記第１画像が所定時間の間に継続して表示されるとき、前記制御部は、前記第１画像と異なる第２画像に該当する第２表示データを前記データ駆動部に伝送することを特徴とする請求項１２に記載の発光素子の駆動回路。
【請求項１４】
前記第２画像の輝度は、前記第１画像の輝度より低いことを特徴とする請求項１３に記載の発光素子の駆動回路。
【請求項１５】
前記制御部は、前記第２表示データを保存することを特徴とする請求項１３に記載の発光素子の駆動回路。
【請求項１６】
前記スキャン駆動部にスキャン駆動電圧を供給する電源供給部をさらに含むことを特徴とする請求項１０に記載の発光素子の駆動回路。
【請求項１７】
第１方向に配列された複数のデータラインと、
前記第１方向と異なる第２方向に配列された複数のスキャンラインと、
前記データラインと前記スキャンラインによって形成される複数のピクセルと、
複数の第１表示データを伝送する制御部と、
前記制御部から伝送された第１表示データに該当するデータ電流を前記データラインに供給するデータ駆動部と、
前記第１表示データが繰り返して前記データ駆動部に伝送されるとき、前記制御部の制御に基づいて２ライン以上の単位で前記スキャンラインを駆動するスキャン駆動部とを含むことを特徴とする発光素子。
【請求項１８】
前記制御部は、前記第１表示データが繰り返して前記データ駆動部に伝送されるかどうかを検出することを特徴とする請求項１７に記載の発光素子。
【請求項１９】
データラインとスキャンラインによって形成された複数のピクセルを駆動させる発光素子の駆動回路において、
複数の第１表示データを伝送する制御部と、
前記制御部から伝送された第１表示データに該当するデータ信号を前記データラインに供給するデータ駆動部と、
前記制御部の制御に基づいて前記スキャンラインにスキャン信号を駆動するスキャン駆動部とを含み、
前記複数の第１表示データが繰り返して前記データ駆動部に伝送されるとき、少なくとも２つ以上のスキャン信号波形における発光領域が重畳されることを特徴とする発光素子の駆動回路。
【請求項２０】
前記重畳される発光領域の開始点が同じであることを特徴とする請求項１９に記載の発光素子の駆動回路。
【請求項２１】
データラインとスキャンラインによって形成された複数のピクセルを有するパネルを含む発光素子を駆動する方法において、
前記パネルに第１画像が第１の時間の間に表示されるかどうかを検出する段階と、
前記検出結果に伴って２ライン以上の単位で前記スキャンラインを駆動する段階を含むことを特徴とする発光素子駆動方法。
【請求項２２】
前記第１画像が前記第１時間の間に前記パネルに表示されるとき、前記第１画像と輝度の異なる第２画像を表示する段階をさらに含むことを特徴とする請求項２１に記載の発光素子駆動方法。
【請求項２３】
データラインと、該データラインと交差するスキャンラインを含む発光素子を駆動させる方法において、
前記スキャンラインにスキャン信号を供給する段階と、
前記データラインに、前記スキャン信号に同期したデータ信号を供給する段階とを含み、
前記スキャン信号の波形はそれぞれ発光領域を有し、前記発光領域は少なくとも２つの領域単位で重畳していることを特徴とする発光素子駆動方法。
【発明の詳細な説明】
【技術分野】
【０００１】
本発明は、発光素子とその駆動回路及び駆動方法、特に、画面保護モードで電力の消費を減少させることができる発光素子とその駆動回路及び駆動方法に関するものである。
【背景技術】
【０００２】
発光素子は、所定電圧が印加されると、特定波長の光を発生させる。
【０００３】
図１は、一般的な有機エレクトロルミネセント素子のピクセルを示した平面図である。図２は、ピクセルが光を発生させる過程を示した平面図である。
【０００４】
図１を参照すると、有機エレクトロルミネセント素子は、複数のピクセル３を有するパネルを包含している。
【０００５】
少なくとも一つのピクセル３は、順次に配列されたアノード電極層４、有機質層１０、及びカソード電極層１２を含んでいる。
【０００６】
有機質層１０は、電子注入層１０Ａ、電子輸送層１０Ｂ、発光層１０Ｃ、正孔輸送層１０Ｄ及び正孔注入層１０Ｅを含んでいる。
【０００７】
アノード電極層４とカソード電極層１２に所定電圧が印加されると、図２に示されるように、カソード電極層１２から発生された電子は、電子注入層１０Ａ及び電子輸送層１０Ｂを通って発光層１０Ｃ側に移動する。また、アノード電極層４から発生された正孔は、正孔注入層１０Ｅ及び正孔輸送層１０Ｄを通って発光層１０Ｃ側に移動する。これにより、発光層１０Ｃでは、電子輸送層１０Ｂと正孔輸送層１０Ｄから供給された電子と正孔とが衝突して再結合し、発光層１０Ｃから光が発生する。この光はアノード電極層４を通して外部に放出されて画像が表示されるようになる。
【０００８】
アノード電極層４は、基板上にＩＴＯ（Indium Tin Oxide）、ＩＺＯ（Indium Zinc Oxide）、ＩＴＺＯ（Indium Tin Zinc Oxide）などの透明導電性物質で形成されている。
【０００９】
正孔注入層１０Ｅは、正孔の濃度を調節し、正孔輸送層１０Ｄは、正孔の移動速度を調節する。その結果、アノード電極層４で発生された正孔が、容易に発光層１０Ｃに注入される。
【００１０】
電子注入層１０Ａは、電子の濃度を調節し、電子輸送層１０Ｂは、電子の移動速度を調節する。その結果、カソード電極層１２で発生された電子が、容易に発光層１０Ｃに注入される。
【００１１】
有機エレクトロルミネセント素子は、上述した過程を通して光を放出（発生）する。ところで、有機エレクトロルミネセント素子は、パネルの特定領域に同一画面が長時間表示されると、その特定領域の素子が他の領域の素子より早く劣化する。詳細には、特定のピクセルが、パネルの一部領域において、最初のデータ信号に基づき持続的にターン・オンされる。一方、対照的に、あるピクセンは、パネルの一部領域において、次のデータ信号によって持続的にターン・オフされる。これにより、ピクセル間の素子劣化速度が相違してくる。即ち、ある映像が継続的にパネルの一部分で表示される場合、持続的にターン・オンされたピクセルの素子劣化は、持続的にターン・オフされたピクセルの素子劣化より早く進行する。その結果、有機エレクトロルミネセント素子では、長時間使われたパネルの画面上で、画像の歪み現象が発生する。また、その電力消耗が大きくなる。
【発明の開示】
【発明が解決しようとする課題】
【００１２】
従って、本発明の目的は、画面保護モードで電力を減少させることができる発光素子とその駆動回路及び駆動方法を提供することにある。
【課題を解決するための手段】
【００１３】
上記目的を達成するために、本発明に係るデータラインとスキャンラインによって形成された複数のピクセルを駆動する発光素子の駆動回路は、制御部、データ駆動部及びスキャン駆動部を含んでいる。制御部は、複数の第１表示データを伝送する。データ駆動部は、制御部から伝送された第１表示データに該当するデータ電流をデータラインに供給する。スキャン駆動部は、制御部の制御に基づいてスキャンラインを駆動する。ここで、複数の第１表示データが繰り返してデータ駆動部に伝送されるとき、２ライン以上の単位でスキャンラインが駆動させる。
【００１４】
本発明に係るデータラインとスキャンラインによって形成された複数のピクセルを含むパネルを駆動する駆動回路は、制御部及びスキャン駆動部を含んでいる。制御部は、所定時間の間にパネルに第１画像（イメージ）が続けて表示されるかどうかを検出する。所定時間内にパネルに第１イメージが表示されたと検出されたときには、スキャン駆動部は、制御部の制御に基づいて２ライン以上の単位でスキャンラインを駆動させる。
【００１５】
本発明に係る発光素子は、複数のデータライン、複数のスキャンライン、複数のピクセル、制御部、データ駆動部及びスキャン駆動部を含んでいる。データラインは、第１方向に配列されている。スキャンラインは、第１方向と異なる第２方向に配列されている。ピクセルは、データラインとスキャンラインによって形成されている。制御部は、複数の第１表示データを伝送する。データ駆動部は、制御部から伝送された第１表示データに該当するデータ電流をデータラインに供給する。スキャン駆動部は、第１表示データが繰り返してデータ駆動部に伝送されるとき、制御部の制御に基づいて２つ以上の単位でスキャンラインを駆動する。
【００１６】
また、本発明に係るデータラインとスキャンラインによって形成された複数のピクセルを駆動させる駆動回路は、制御部、データ駆動部及びスキャン駆動部を含んでいる。制御部は、複数の第１表示データを伝送する。データ駆動部は、制御部から伝送された第１表示データに該当するデータ信号をデータラインに供給する。スキャン駆動部は、制御部の制御に基づいてスキャンラインにスキャン信号を駆動する。ここで、複数の第１表示データが繰り返してデータ駆動部に伝送されるとき、少なくとも２つ以上のスキャン信号波形における発光領域が重畳される。
【００１７】
本発明に係るデータラインとスキャンラインによって形成された複数のピクセルを有するパネルを含む発光素子を駆動させる方法は、パネルに第１画像（イメージ）が第１の時間の間に表示されるかどうかを検出する段階と、検出結果によって２ライン以上の単位でスキャンラインを駆動する段階を含んでいる。
【００１８】
また、本発明に係るデータラインと、データラインと交差するスキャンラインを有する発光素子を駆動させる方法は、スキャンラインにスキャン信号を供給する段階と、データラインに、スキャン信号に同期したデータ信号を供給する段階を含んでいる。ここで、スキャン信号の波形はそれぞれ発光領域を有し、この発光領域は少なくとも２つ以上の領域を単位として重畳される。
【発明の効果】
【００１９】
上述するように、本発明に係る発光素子とその駆動回路及び駆動方法は、保護画像（イメージ）を使用することによって素子の劣化を防止すると同時に、画面保護モードで電力を節減することができる。
【発明を実施するための最良の形態】
【００２０】
以下、添付図面を参照して本発明の実施形態に係る発光素子とその駆動回路及び駆動方法を詳細に説明する。
【００２１】
図３は、本発明の好ましい一実施形態に係る発光素子を示した図面である。
図３に示すように、本発明の発光素子は、パネル１０２、制御部１４０、スキャン駆動部１２０、データ駆動部１３０及び電源供給部１５０を含んでいる。
【００２２】
本発明の好ましい一実施形態に係る発光素子には、有機電界発光素子（Organic Electroluminescent Device）、ＰＤＰ、ＬＣＤなどが含まれる。しかし、以下では説明の便宜上、有機電界発光素子を発光素子の一例として説明する。
【００２３】
パネル１０２は、データライン（ＤＬ１〜ＤＬｍ）とスキャンライン（ＳＬ１〜ＳＬｎ）とが交差する発光領域に形成された複数のピクセル１０１を含んでいる。各ピクセル１０１は、基板上に順次に積層されたアノード電極層、有機質層及びカソード電極層を含んでいる。
【００２４】
ここで、有機質層は、アノード電極層上に順次に積層された、正孔輸送層（ＨＴＬ）、発光層（ＥＭＬ）及び電子輸送層（ＥＴＬ）を含んでいる。
【００２５】
アノード電極層に正の電圧が印加され、カソード電極層に負の電圧が印加されると、ＨＴＬは、アノード電極層から供給された正孔をＥＭＬに輸送し、ＥＴＬは、カソード電極層から供給された電子をＥＭＬに輸送する。
【００２６】
次いで、輸送された正孔と電子がＥＭＬで再結合し、これにより、所定波長の光がＥＭＬから放出される。
【００２７】
制御部１４０は、外部から表示データを受信し、受信した表示データをデータ駆動部１３０に伝送する。また、制御部１４０は、スキャン駆動部１２０及びデータ駆動部１３０の動作を制御する。
【００２８】
本発明の他の実施形態に係る制御部１４０では、受信した表示データを制御部内のメモリ、あるいは外部のメモリ（図示を省略する）に保存する。
【００２９】
電源供給部１５０は、スキャン駆動部１２０及びデータ駆動部１３０に電源を供給する。
【００３０】
スキャン駆動部１２０は、通常画面表示モードと画面保護モードとで異なる動作をする。通常画面表示モードの場合、スキャン駆動部１２０は、図４（ａ）に示されるように、スキャンライン（ＳＬ１〜ＳＬｎ）を１ライン単位で駆動する。対照的に、画面保護モードの場合には、スキャン駆動部１２０は、図４（ｂ）に示されるように、スキャンライン（ＳＬ１〜ＳＬｎ）を少なくとも２ライン単位で駆動する。
【００３１】
本発明の他の実施形態に係る発光素子では、同じ表示データが繰り返してデータ駆動部１３０に伝送されると、少なくとも２つ以上のスキャン信号波形における発光領域が重なり合う。ここで、発光領域とは、スキャンライン（ＳＬ１〜ＳＬｎ）中の低いロジックに該当する領域である。
【００３２】
データ駆動部１３０は、制御部１４０から伝送された表示データに該当するデータ信号、即ち、データ電流をデータライン（ＤＬ１〜ＤＬｍ）に供給する。ここで、データ信号は、制御部１４０の制御によってスキャン信号に同期する。
【００３３】
制御部１４０は、所定期間内にデータライン（ＤＬ１〜ＤＬｍ）に同じデータ信号が繰り返し供給されているかどうかを検出し、検出結果に伴って、通常画面表示モードまたは画面保護モードを動作させる。画面保護モードの場合、制御部１４０は、パネル１０２の輝度を低く調節するか、予め保存されている保護画像（イメージ）に該当する表示データをデータ駆動部１３０に供給する。
【００３４】
電源供給部１５０は、高位スキャン駆動電圧（ＶＧＨ）、低位スキャン駆動電圧（ＶＧＬ）などの駆動電圧を生成し、各スキャン駆動電圧の大きさを制御している。また、電源供給部１５０は、スキャン駆動電圧のデューティ比を調節することができる。その結果、スキャンライン（ＳＬ１〜ＳＬｎ）とスキャン駆動部１２０のオン−オフ時間、即ち、スイッチング時間がデューティ比によって変化する。
【００３５】
図５は、本発明の好ましい一実施形態に係る発光素子を駆動させる方法を示したフローチャートである。
【００３６】
図５に示されるように、本発明の発光素子駆動方法では、まず、パネル１０２に特定表示データに該当する保護画像（イメージ）を表示する（Ｓ１）。ここで、保護画像とは、メモリ（図示を省略する）に予め保存された表示データに該当する画像（イメージ）、または外部からリアルタイムで制御部１４０に伝送される表示データに該当する画像（イメージ）である。
【００３７】
段階Ｓ１において、所定期間内に第１データ信号がデータライン（ＤＬ１〜ＤＬｍ）に繰り返し供給されている場合には、画面保護モードが実行される。
【００３８】
次に、所定時間内に、第１データ信号とは異なる第２データ信号がデータライン（ＤＬ１〜ＤＬｍ）に供給されているかどうか検出される（Ｓ２）。
【００３９】
第２データ信号がデータライン（ＤＬ１〜ＤＬｍ）に供給されている場合には、再度、段階Ｓ１が実行される。
【００４０】
ここで、所定時間は、使用者の設定によって変えることができる。例えば、所定時間は、数秒ないし数十秒であってもよい。
【００４１】
また、第２データ信号は、発光素子が特定動作を実行するために、外部から制御部１４０に入力されるデータに該当する表示データである。このような第２データ信号によってパネル１０２に表示される画像が変化され得る。
【００４２】
所定時間内に、第２データ信号がデータライン（ＤＬ１〜ＤＬｍ）に供給されない場合には、画面保護モードが実行される、即ち、保護画像がパネル１０２に表示される（Ｓ３）。
【００４３】
保護画像は、パネル１０２に含まれたピクセルなどの素子の劣化を防止するために構成された映像（イメージ）である。本発明の一実施形態に係る保護画像は、相対的に低い輝度を有している。
【００４４】
例えば、通常画面表示モードで、１つのデータラインを通して当該スキャンラインに流れる電流の大きさを１００μＡとする。
【００４５】
この場合、画面保護モードでは、少なくとも２つのスキャンラインが同時に駆動されるので、データラインを通して各スキャンラインに流れる電流の大きさは最大５０μＡになる。例えば、２つのスキャンラインが同時に駆動される時、データラインを通して各スキャンラインに流れる電流の大きさは５０μＡになる。
【００４６】
実質的に、通常画面表示モードにおいて、パネル１０２の輝度を１００ニット（nit）に設定すると、一つのスキャンラインを通して流れる電流は１００μＡであり、その輝度に相当する電圧が２０Ｖとすれば、電力は１００μＡ×１００×２０＝２００ｍＷになる。
【００４７】
一方、画面保護モードでは、通常画面表示モードの半分の輝度、即ち、５０ニット（nit）に設定し、各スキャンラインに流れる電流は５０μＡ、その輝度に相当する電圧が１８Ｖ供給されるのであれば、電力は５０μＡ×１００×１８＝９０ｍＷになる。
【００４８】
このとき、スキャンライン（ＳＬ１〜ＳＬｎ）を２ライン単位で駆動させ、各スキャンライン（ＳＬ１〜ＳＬｎ）に供給されているスキャン信号のデューティ比を２倍に増加させると、５０ニットの輝度を発生させるために、２５μＡの電流と１６Ｖの電圧が各スキャンライン（ＳＬ１〜ＳＬｎ）に供給される。これに伴う電力は、２５μＡ×１００×１６＝４０ｍＷになる。
【００４９】
次いで、保護画像が表示される間に、第２データ信号と異なるデータ信号がデータライン（ＤＬ１〜ＤＬｍ）に供給されているかどうか検出される（Ｓ４）。
【００５０】
異なるデータ信号がデータライン（ＤＬ１〜ＤＬｍ）に供給されていない場合には、パネル１０２がターン・オフされる。一方、他のデータ信号がデータライン（ＤＬ１〜ＤＬｍ）に供給されている場合には、他のデータ信号に該当する画像がパネル１０２上に表示される（Ｓ５）。
【００５１】
要するに、このような方式で駆動される本発明の実施形態に係る発光素子の駆動方法では、保護画像を使用することによってパネル１０２の素子の劣化を防止することができる。また、スキャンライン（ＳＬ１〜ＳＬｎ）をグループ単位（少なくとも２ライン以上の単位）で駆動させることによって、発光素子の電力の消費を節減することができる。
【００５２】
以上で説明した本発明の好ましい実施の形態は、例示の目的のために開示されたものであり、本発明に対する通常の知識を有した当業者であれば、本発明の思想と範囲内で様々な修正、変更、付加が可能である。従って、このような修正、変更及び付加は本発明の特許請求の範囲に属するものである。
【図面の簡単な説明】
【００５３】
【図１】従来の有機エレクトロルミネセント素子のピクセルを示した平面図である。
【図２】図１に示すピクセルの発光動作過程を示した平面図である。
【図３】本発明に係る発光素子の一実施形態を示した図である。
【図４】（ａ）は通常画面表示モード、（ｂ）は画面保護モードで印加されるスキャン信号を示した図である。
【図５】本発明に係る発光素子を駆動させる方法の一実施形態を示したフローチャートである。
【符号の説明】
【００５４】
２，３２  基板
３  ピクセル
４  アノード電極層
１０  有機質層
１２  カソード電極層
１０１  ピクセル
１０２  パネル
１２０  スキャン駆動部
１３０  データ駆動部
１４０  制御部
１５０  電源供給部
ＳＬ１〜ＳＬｎ  スキャンライン
ＤＬ１〜ＤＬｍ  データライン
【図１】
2006189855.tif 000003
【図２】
2006189855.tif 000004
【図３】
2006189855.tif 000005
【図４】
2006189855.tif 000006
【図５】
2006189855.tif 000007